(57)【特許請求の範囲】
【請求項１】
接続端子が２次元配置されたモジュール側コネクタを有する通信モジュールを挿抜可能なケージであって、
前記通信モジュールを挿入する挿入口と、前記通信モジュールの挿入時における前記モジュール側コネクタの位置に設けられた窓とを有し、回転軸で回転可能な可動ケージを備え、
前記可動ケージは、回転することによって第１位置と第２位置とに切り替わり、
前記第１位置では、２次元配置された接続端子を有する固定側コネクタの配置された基板に対して、前記可動ケージの前記通信モジュールの挿入方向が斜めになり、前記通信モジュールを挿抜可能であり、
前記通信モジュールを挿入した状態で前記可動ケージを前記第１位置から前記第２位置にすると、前記モジュール側コネクタと前記固定側コネクタとが前記窓越しに接続されるとともに、
前記基板に固定されたストッパを更に備え、
前記可動ケージは、スリットを有し、
前記可動ケージが第１位置から第２位置になるときに、前記スリットに前記ストッパが入り込み、
前記通信モジュールが挿入されていない状態で前記可動ケージが前記第２位置にあるときに、前記スリットに入り込んだ前記ストッパが、前記挿入口からの前記通信モジュールの挿入を阻害する
ことを特徴とするケージ。
【請求項２】
請求項１に記載のケージであって、
前記可動ケージの前記回転軸は、前記挿入口とは反対側に配置されている
ことを特徴とするケージ。
【請求項３】
請求項２に記載のケージであって、
前記可動ケージの前記窓は、前記回転軸よりも前記挿入口の近くに配置されている
ことを特徴とするケージ。
【請求項４】
請求項１〜３のいずれかに記載のケージであって、
前記可動ケージに前記通信モジュールが正常に挿入されていない状態では、前記スリットの内側の前記通信モジュールのハウジングが前記ストッパに接することによって、前記可動ケージが前記第１位置から前記第２位置に回転することが阻害され、
前記可動ケージに前記通信モジュールが正常に挿入された状態では、前記スリットの内側に前記ハウジングに形成された溝部が位置し、前記スリット及び前記溝部に前記ストッパが入り込むことによって、前記可動ケージが前記第１位置から前記第２位置になることが可能になる
ことを特徴とするケージ。
【請求項５】
請求項４に記載のケージであって、
前記ストッパには、凹部が形成されており、
前記通信モジュールには、前記溝部に爪部が配置されており、
前記通信モジュールを挿入した状態で前記可動ケージを前記第２位置にしたとき、前記爪部が前記凹部に入り込み、前記可動ケージが固定される
ことを特徴とするケージ。
【請求項６】
接続端子が２次元配置されたモジュール側コネクタを有する通信モジュールを挿抜可能なケージであって、
前記通信モジュールを挿入する挿入口と、前記通信モジュールの挿入時における前記モジュール側コネクタの位置に設けられた窓とを有し、回転軸で回転可能な可動ケージを備え、
前記可動ケージは、回転することによって第１位置と第２位置とに切り替わり、
前記第１位置では、２次元配置された接続端子を有する固定側コネクタの配置された基板に対して、前記可動ケージの前記通信モジュールの挿入方向が斜めになり、前記通信モジュールを挿抜可能であり、
前記通信モジュールを挿入した状態で前記可動ケージを前記第１位置から前記第２位置にすると、前記モジュール側コネクタと前記固定側コネクタとが前記窓越しに接続されるとともに、
前記可動ケージが前記第１位置から前記第２位置になるときに、前記挿入口は、フロントパネルの開口部の中を移動し、
前記可動ケージが前記第２位置のときに前記開口部の隙間を塞ぐための遮蔽部を更に備える
ことを特徴とするケージ。
【請求項７】
請求項１〜６のいずれかに記載のケージであって、
前記モジュール側コネクタ又は前記固定側コネクタの前記接続端子は、板状のピンで構成されており、
前記板状のピンの面は、前記回転軸に垂直な方向である
ことを特徴とするケージ。
【請求項８】
請求項１〜７のいずれかに記載のケージと、前記基板上に配置された前記固定側コネクタとを備える通信機器。
【請求項９】
モジュール側コネクタと、
前記モジュール側コネクタを配置した基板と、
前記基板を収容しつつ、ケージの挿入口から挿入可能な形状のハウジングと
を備え、
前記基板は、前記ケージへの挿入方向と平行に、前記ハウジングに収容されており、
前記モジュール側コネクタは、前記基板と平行なコネクタ面に２次元配置された接続端子を有し、
前記ハウジングは、前記コネクタ面に平行な窓を有し、前記窓から前記モジュール側コネクタが露出している
ことを特徴とする通信モジュール。
【請求項１０】
請求項９に記載の通信モジュールであって、
前記接続端子は、板状のピンで構成されており、
前記板状のピンの面は、前記コネクタ面に垂直な方向であるとともに、前記挿入方向と平行な方向である
ことを特徴とする通信モジュール。
【請求項１１】
請求項９又は１０に記載の通信モジュールであって、
前記ハウジングの側面に、前記ケージの側に設けられたストッパが入り込むことが可能な溝部が形成されている
ことを特徴とする通信モジュール。
【請求項１２】
請求項１１に記載の通信モジュールであって、
前記挿入方向に沿って移動可能な爪部であって、前記溝部から突出して配置された爪部を有し、
前記爪部は、前記ストッパと接触することによって移動するとともに、前記溝部に入り込んだ前記ストッパの凹部に入り込み、前記通信モジュールを固定させる
ことを特徴とする通信モジュール。
【請求項１３】
請求項１２に記載の通信モジュールであって、
前記爪部は、操作者が操作するレバーに設けられており、
前記レバーを操作することによって、前記凹部に入り込んだ前記爪部を外すことが可能である
ことを特徴とする通信モジュール。
【請求項１４】
請求項９〜１３のいずれかに記載の通信モジュールであって、
前記基板は、前記ハウジングを構成する部材によって、前記基板の面方向の垂直方向から挟持されており、
前記基板と前記ハウジングとの摩擦力を超える力が前記基板に加わったときに、前記基板が前記ハウジングに対して前記面方向に移動可能である
ことを特徴とする通信モジュール。
【請求項１５】
通信モジュールをケージに挿入してコネクタを接続する接続方法であって、
回転軸で回転可能な可動ケージを、２次元配置された接続端子を有する固定側コネクタの配置された基板に対して、通信モジュールの挿入方向が斜めになる第１位置にすること、
接続端子が２次元配置されたモジュール側コネクタを有する通信モジュールを、前記可動ケージの挿入口から挿入すること、
前記通信モジュールを挿入した状態で前記可動ケージを前記第１位置から第２位置に回転させて、前記モジュール側コネクタと前記固定側コネクタとを接続すること
を行うとともに、
前記基板にストッパが固定されており、
前記可動ケージは、スリットを有しており、
前記可動ケージが第１位置から第２位置になるときに、前記スリットに前記ストッパが入り込み、
前記通信モジュールが挿入されていない状態で前記可動ケージが前記第２位置にあるときに、前記スリットに入り込んだ前記ストッパが、前記挿入口からの前記通信モジュールの挿入を阻害する
ことを特徴とする接続方法。
【発明の詳細な説明】
【技術分野】
【０００１】
本発明は、ケージ、通信機器、通信モジュール及び接続方法に関する。
【背景技術】
【０００２】
光ファイバを用いた高速光通信の分野において、電気信号と光信号とを相互に変換するプラガブル光トランシーバが用いられている。プラガブル光トランシーバによれば、通信機器側（ホスト側）のメイン基板上にケージが設置され、光電変換素子や回路基板を内蔵した光モジュール（通信端末）がケージに挿入され、光モジュール側のコネクタ（モジュール側コネクタ）と、メイン基板側のコネクタ（固定側コネクタ）とが電気的・機械的に接続される。これにより、光ファイバで送受される光信号と、通信機器側のメイン基板で処理される電気信号が、光モジュール内の光電変換素子や回路基板によって相互に変換可能になる。  
特許文献１には、ケージに対して挿抜可能な光モジュールが記載されている。特許文献１に記載の光モジュールには、図１４に示すような基板が内蔵されており、基板の端部に多数の接続端子を配置したカードエッジコネクタが形成されている。特許文献２においても、基板の端部に多数の接続端子を配置したコネクタが開示されている。
【０００３】
カードエッジコネクタとは別のコネクタとして、特許文献３、４又は非特許文献１に記載のコネクタが知られている。これらのコネクタは、接続端子（例えば接続ピン）を２次元的に配置することによって、高密度に接続端子を配置でき、高速な信号伝送に適している。なお、接続端子を２次元的に配置したコネクタとして、例えばＭＥＧ−Ａｒｒａｙ（登録商標）が知られている。
【先行技術文献】
【特許文献】
【０００４】
【特許文献１】特開２０１３−１３４３４７号公報
【特許文献２】特開２０１２−１６３７３９号公報
【特許文献３】ＷＯ２００９／１２８４１３Ａ１
【特許文献４】ＷＯ２００３／０５４６０８Ａ１
【非特許文献１】SNAP12 MSA Revision 1.1 May 15, 2002 (http://www.physik.unizh.ch/~avollhar/snap12msa_051502.pdf)
【発明の概要】
【発明が解決しようとする課題】
【０００５】
特許文献１、２に記載のカードエッジコネクタの場合、コネクタの着脱方向と、光モジュールの挿抜方向が一致している。このため、カードエッジコネクタを採用した光モジュールをケージに挿入すれば、そのままコネクタを接続することが可能である。  
但し、特許文献１、２に記載のカードエッジコネクタの場合、接続端子は、光モジュールの基板の幅方向だけに並んで配置されるため、接続端子を高密度化に配置できず、より高速な信号伝送には不向きである。また、カードエッジコネクタの場合、メイン基板側のコネクタ（固定側コネクタ）の接続端子とメイン基板との間の配線が長くなってしまうため、この点でも高速な信号伝送には不向きである。より高速な信号伝送には、特許文献３、４又は非特許文献１に記載のコネクタのように、基板と平行な平面上で接続端子を２次元配置したコネクタを採用することが有利である。
【０００６】
特許文献３、４又は非特許文献１に記載のコネクタのように、接続端子を２次元的に配置したコネクタの場合、接続端子が、基板（光モジュールの基板やメイン基板）と平行な面に並ぶため、コネクタを着脱する方向は、基板と交差する方向（例えば基板に垂直な方向）になる。これに対し、ケージに対して挿抜可能な光モジュールは、基板（光モジュールの基板やメイン基板）とほぼ平行に挿抜される。つまり、接続端子を２次元的に配置したコネクタを光モジュール（ケージに対して挿抜可能な光モジュール）に採用しても、コネクタの着脱方向（接続端子が２次元配置されたコネクタ面と交差する方向）と、光モジュールの挿抜方向とが一致しないことになる。このため、特許文献３、４又は非特許文献１に記載の光モジュールは、基板に対して固定されており、ケージに対して挿抜することは全く考慮されていない。
なお、このような課題は、光モジュールに限られず、電気モジュールなどの他の通信モジュール（通信端末）においても存在する課題である。
【０００７】
本発明は、通信モジュールの挿抜可能なケージに、若しくは、ケージに対して挿抜可能な通信モジュールに、接続端子を２次元的に配置したコネクタを採用することを目的とする。
【課題を解決するための手段】
【０００８】
上記目的を達成するための主たる第１の発明は、接続端子が２次元配置されたモジュール側コネクタを有する通信モジュールを挿抜可能なケージであって、前記通信モジュールを挿入する挿入口と、前記通信モジュールの挿入時における前記モジュール側コネクタの位置に設けられた窓とを有し、回転軸で回転可能な可動ケージを備え、前記可動ケージは、回転することによって第１位置と第２位置とに切り替わり、前記第１位置では、２次元配置された接続端子を有する固定側コネクタの配置された基板に対して、前記可動ケージの前記通信モジュールの挿入方向が斜めになり、前記通信モジュールを挿抜可能であり、前記通信モジュールを挿入した状態で前記可動ケージを前記第１位置から前記第２位置にすると、前記モジュール側コネクタと前記固定側コネクタとが前記窓越しに接続されるとともに、前記基板に固定されたストッパを更に備え、前記可動ケージは、スリットを有し、前記可動ケージが第１位置から第２位置になるときに、前記スリットに前記ストッパが入り込み、前記通信モジュールが挿入されていない状態で前記可動ケージが前記第２位置にあるときに、前記スリットに入り込んだ前記ストッパが、前記挿入口からの前記通信モジュールの挿入を阻害することを特徴とするケージである。
また、上記目的を達成するための主たる第２の発明は、接続端子が２次元配置されたモジュール側コネクタを有する通信モジュールを挿抜可能なケージであって、前記通信モジュールを挿入する挿入口と、前記通信モジュールの挿入時における前記モジュール側コネクタの位置に設けられた窓とを有し、回転軸で回転可能な可動ケージを備え、前記可動ケージは、回転することによって第１位置と第２位置とに切り替わり、前記第１位置では、２次元配置された接続端子を有する固定側コネクタの配置された基板に対して、前記可動ケージの前記通信モジュールの挿入方向が斜めになり、前記通信モジュールを挿抜可能であり、前記通信モジュールを挿入した状態で前記可動ケージを前記第１位置から前記第２位置にすると、前記モジュール側コネクタと前記固定側コネクタとが前記窓越しに接続されるとともに、前記可動ケージが前記第１位置から前記第２位置になるときに、前記挿入口は、フロントパネルの開口部の中を移動し、前記可動ケージが前記第２位置のときに前記開口部の隙間を塞ぐための遮蔽部を更に備えることを特徴とするケージである。
また、上記目的を達成するための別の主たる発明は、２次元配置された接続端子を有するモジュール側コネクタと、前記モジュール側コネクタを配置した基板と、窓を有し、前記基板を収容しつつ前記窓から前記モジュール側コネクタを露出させたハウジングであって、ケージの挿入口から挿入可能な形状のハウジングとを備えた通信モジュールである。
【０００９】
本発明の他の特徴については、後述する明細書及び図面の記載により明らかにする。
【発明の効果】
【００１０】
本発明によれば、通信モジュールの挿抜可能なケージに、若しくは、ケージに対して挿抜可能な通信モジュールに、接続端子を２次元的に配置したコネクタを採用することができる。
【図面の簡単な説明】
【００１１】
【図１】図１Ａ〜図１Ｃは、本実施形態の概要の説明図である。
【図２】図２Ａは、コネクタ面の側から見たモジュール側コネクタ３０の斜視図である。図２Ｂは、モジュール側コネクタ３０の接続端子３１の拡大図である。図２Ｃは、コネクタ面の側から見た固定側コネクタ７０の斜視図である。図２Ｄは、固定側コネクタ７０の接続端子７１の拡大図である。
【図３】図３Ａ及び図３Ｂは、光モジュール１の斜視図である。図３Ａは、光モジュール１を斜め上から見た図である。図３Ｂは、光モジュール１を斜め下から見た図である。
【図４】図４は、斜め下から見た光モジュール１の分解図である。
【図５】図５Ａ及び図５Ｂは、可動ケージ６０が第１位置にあるときのケージ５の斜視図である。
【図６】図６Ａ及び図６Ｂは、可動ケージ６０が第２位置にあるときのケージ５の斜視図である。
【図７】図７Ａ及び図７Ｂは、フロントパネル４を除去した状態の説明図である。図７Ａは可動ケージ６０が第１位置にあるときの説明図であり、図７Ｂは可動ケージ６０が第２位置にあるときの説明図である。
【図８】図８Ａは、光モジュール１が十分に挿入されていない状態でのスリット６３近傍の説明図である。図８Ｂは、光モジュール１が正常に挿入された状態でのスリット６３近傍の説明図である。図８Ｃは、可動ケージ６０が第１位置から第２位置に回転する途中でのスリット６３近傍の説明図である。図８Ｄは、可動ケージ６０が第２位置になったときのスリット６３近傍の説明図である。
【図９】図９Ａ〜図９Ｃは、光モジュール１の抜去時の説明図である。
【図１０】図１０は、可動ケージ６０の凸部６４の周辺構造の第１改良例の説明図である。
【図１１】図１１は、第２改良例の説明図である。
【図１２】図１２は、第２実施形態の説明図である。
【図１３】図１３は、第３実施形態の説明図である。
【図１４】比較例となるカードエッジコネクタの説明図である。
【発明を実施するための形態】
【００１２】
後述する明細書及び図面の記載から、少なくとも以下の事項が明らかとなる。
【００１３】
接続端子が２次元配置されたモジュール側コネクタを有する通信モジュールを挿抜可能なケージであって、前記通信モジュールを挿入する挿入口と、前記通信モジュールの挿入時における前記モジュール側コネクタの位置に設けられた窓とを有し、回転軸で回転可能な可動ケージを備え、前記可動ケージは、回転することによって第１位置と第２位置とに切り替わり、前記第１位置では、２次元配置された接続端子を有する固定側コネクタの配置された基板に対して、前記可動ケージの前記通信モジュールの挿入方向が斜めになり、前記通信モジュールを挿抜可能であり、前記通信モジュールを挿入した状態で前記可動ケージを前記第１位置から前記第２位置にすると、前記モジュール側コネクタと前記固定側コネクタとが前記窓越しに接続されることを特徴とするケージが明らかとなる。  
これにより、通信モジュールの挿抜可能なケージに、接続端子を２次元的に配置したコネクタを採用することができる。
【００１４】
前記可動ケージの前記回転軸は、前記挿入口とは反対側に配置されていることが望ましい。これにより、コネクタの着脱に要する力を減らすことができる。
【００１５】
前記可動ケージの前記窓は、前記回転軸よりも前記挿入口の近くに配置されていることが望ましい。これにより、第１位置での可動ケージの角度を小さくできる。
【００１６】
前記基板に固定されたストッパを更に備え、前記可動ケージは、スリットを有し、前記可動ケージが第１位置から第２位置になるときに、前記スリットに前記ストッパが入り込み、前記通信モジュールが挿入されていない状態で前記可動ケージが前記第２位置にあるときに、前記スリットに入り込んだ前記ストッパが、前記挿入口からの前記通信モジュールの挿入を阻害することが望ましい。これにより、通信モジュールの異常な挿入を防止できる。
【００１７】
前記可動ケージに前記通信モジュールが正常に挿入されていない状態では、前記スリットの内側の前記通信モジュールのハウジングが前記ストッパに接することによって、前記可動ケージが前記第１位置から前記第２位置に回転することが阻害され、前記可動ケージに前記通信モジュールが正常に挿入された状態では、前記スリットの内側に前記ハウジングに形成された溝部が位置し、前記スリット及び前記溝部に前記ストッパが入り込むことによって、前記可動ケージが前記第１位置から前記第２位置になることが可能になることが望ましい。これにより、コネクタの損傷を防止できる。
【００１８】
前記ストッパには、凹部が形成されており、前記通信モジュールには、前記溝部に爪部が配置されており、前記通信モジュールを挿入した状態で前記可動ケージを前記第２位置にしたとき、前記爪部が前記凹部に入り込み、前記可動ケージが固定されることが望ましい。これにより、可動ケージを固定できる。
【００１９】
前記可動ケージが前記第１位置から前記第２位置になるときに、前記挿入口は、フロントパネルの開口部の中を移動し、前記可動ケージが前記第２位置のときに前記開口部の隙間を塞ぐための遮蔽部を更に備えることが望ましい。これにより、電磁ノイズの漏洩を抑制できる。
【００２０】
前記接続端子は、板状のピンで構成されており、前記板状のピンの面は、前記回転軸に垂直な方向であることが望ましい。これにより、コネクタの着脱時に互いのコネクタ面が傾いていても、接続端子が損傷しにくくなる。
【００２１】
上記のケージと、前記基板上に配置された前記固定側コネクタとを備える通信機器が明らかとなる。  
これにより、通信モジュールの挿抜可能なケージを備える通信機器に、接続端子を２次元的に配置したコネクタを採用することができる。
【００２２】
モジュール側コネクタと、前記モジュール側コネクタを配置した基板と、前記基板を収容しつつ、ケージの挿入口から挿入可能な形状のハウジングとを備え、前記基板は、前記ケージへの挿入方向と平行に、前記ハウジングに収容されており、前記モジュール側コネクタは、前記基板と平行なコネクタ面に２次元配置された接続端子を有し、前記ハウジングは、前記コネクタ面に平行な窓を有し、前記窓から前記モジュール側コネクタが露出していることを特徴とする通信モジュールが明らかとなる。  
これにより、ケージに対して挿抜可能な通信モジュールに、接続端子を２次元的に配置したコネクタを採用することができる。
【００２３】
前記接続端子は、板状のピンで構成されており、前記板状のピンの面は、前記コネクタ面に垂直な方向であるとともに、前記挿入方向と平行な方向であることが望ましい。これにより、コネクタの着脱時に互いのコネクタ面が傾いていても、接続端子が損傷しにくくなる。
【００２４】
前記ハウジングの側面に、前記ケージの側に設けられたストッパが入り込むことが可能な溝部が形成されていることが望ましい。これにより、通信モジュールの異常な挿入を防止できる。
【００２５】
前記挿入方向に沿って移動可能な爪部であって、前記溝部から突出して配置された爪部を有し、前記爪部は、前記ストッパと接触することによって移動するとともに、前記溝部に入り込んだ前記ストッパの凹部に入り込み、前記通信モジュールを固定させることが望ましい。これにより、通信モジュールを固定できる。
【００２６】
前記爪部は、操作者が操作するレバーに設けられており、前記レバーを操作することによって、前記凹部に入り込んだ前記爪部を外すことが可能であることが望ましい。これにより、通信モジュールの固定状態を解除することが容易である。
【００２７】
前記基板は、前記ハウジングを構成する部材によって、前記基板の面方向の垂直方向から挟持されており、前記基板と前記ハウジングとの摩擦力を超える力が前記基板に加わったときに、前記基板が前記ハウジングに対して前記面方向に移動可能であることが望ましい。これにより、コネクタの損傷を抑制できる。
【００２８】
通信モジュールをケージに挿入してコネクタを接続する接続方法であって、回転軸で回転可能な可動ケージを、２次元配置された接続端子を有する固定側コネクタの配置された基板に対して、通信モジュールの挿入方向が斜めになる第１位置にすること、接続端子が２次元配置されたモジュール側コネクタを有する通信モジュールを、前記可動ケージの挿入口から挿入すること、前記通信モジュールを挿入した状態で前記可動ケージを前記第１位置から第２位置に回転させて、前記モジュール側コネクタと前記固定側コネクタとを接続することを行う接続方法が明らかとなる。  
これにより、通信モジュールの挿抜可能なケージと、ケージに対して挿抜可能な通信モジュールとのそれぞれに、接続端子を２次元的に配置したコネクタを採用することができる。
【００２９】
＝＝＝第１実施形態＝＝＝
＜概要＞
図１Ａ〜図１Ｃは、本実施形態の概要の説明図である。
光モジュール１の基板１０には、モジュール側コネクタ３０が実装されている。メイン基板３上には、固定側コネクタ７０が配置されている。モジュール側コネクタ３０及び固定側コネクタ７０は、接続端子を２次元配置したコネクタである。  
メイン基板３には可動ケージ６０が配置されている。可動ケージ６０は、挿入口６１と窓６２とを有する。可動ケージ６０は、回転軸８で回転することによって、第１位置（図１Ａ及び図１Ｂ参照）と第２位置（図１Ｃ参照）とに切り替わる。
【００３０】
図１Ａに示すように、第１位置では、可動ケージ６０における光モジュール１の挿入方向がメイン基板３に対して斜めになり、可動ケージ６０に対して光モジュール１が挿抜可能である。  
図１Ｂに示すように、可動ケージ６０に光モジュール１を挿入すると、光モジュール１のモジュール側コネクタ３０が、可動ケージ６０の窓６２に位置する。また、光モジュール１のモジュール側コネクタ３０は、固定側コネクタ７０に対して斜めに対向する。  
光モジュール１を挿入した状態で可動ケージ６０を第１位置（図１Ｂ参照）から第２位置（図１Ｃ参照）にすると、モジュール側コネクタ３０と固定側コネクタ７０とが窓６２越しに（窓６２を介して）電気的に接続される。
【００３１】
このように、本実施形態では、可動ケージ６０に対して挿抜可能な光モジュール１に、接続端子を２次元的に配置したコネクタを採用している。
【００３２】
以下の説明では、図１Ｃに示すように、上下方向及び前後方向を定義する。すなわち、メイン基板３に垂直な方向を「上下方向」とし、メイン基板３から見て固定側コネクタ７０が設けられた側を「上」とし、逆側を「下」とする。また、モジュール側コネクタ３０と固定側コネクタ７０とを接続した状態（可動ケージ６０の第２状態）での光ファイバの方向を「前後方向」とし、光ファイバから見て光モジュール１の側を「前」とし、逆側を「後」とする。なお、上下方向及び前後方向に垂直な方向（図１Ｃの紙面に垂直な方向）を「左右方向」とし、後側から見たときの右側を「右」とし、逆側を「左」とする。  
なお、光モジュール１を単独で説明するときには、図１Ｃにおける光モジュール１の姿勢に従って、各方向を用いて光モジュール１を説明する。
【００３３】
＜モジュール側コネクタ３０及び固定側コネクタ７０＞
図２Ａは、コネクタ面の側から見たモジュール側コネクタ３０の斜視図である。図２Ｂは、モジュール側コネクタ３０の接続端子３１の拡大図である。図２Ｃは、コネクタ面の側から見た固定側コネクタ７０の斜視図である。図２Ｄは、固定側コネクタ７０の接続端子７１の拡大図である。
【００３４】
モジュール側コネクタ３０のコネクタ面には、２次元的に接続端子３１が配置されている。つまり、接続端子３１は、基板１０（図１参照）と平行な平面上で２次元配置されている。接続端子３１が２次元配置されたコネクタ面と交差する方向が、コネクタの着脱方向になる。図中には、コネクタ面の４隅の接続端子３１だけが描かれているが、コネクタ面には例えば２００個（１０×２０個）の接続端子３１が配置されている。モジュール側コネクタ３０（及び固定側コネクタ７０）として、例えばＭＥＧ−Ａｒｒａｙ（登録商標）を採用することができる。
モジュール側コネクタ３０の接続端子３１は、板状のピンで構成されている。
【００３５】
固定側コネクタ７０のコネクタ面にも、２次元的に接続端子７１が配置されている。つまり、接続端子７１は、メイン基板３（図１参照）と平行な平面上に２次元配置されている。接続端子７１が２次元配置されたコネクタ面と交差する方向が、コネクタの着脱方向になる。図中には、コネクタ面の４隅の接続端子７１だけが描かれているが、モジュール側コネクタ３０の接続端子３１と同数（例えば２００個）の接続端子７１が配置されている。  
固定側コネクタ７０の接続端子７１は、一対のバネ状のピンで構成されている。この一対のバネ状の接続端子７１が、モジュール側コネクタ３０の板状の接続端子３１の両面を挟むことによって、両端子が電気的に接続する。
【００３６】
１つの端子同士の着脱に要する力はごく僅かである。但し、高密度に多数の端子が配置されていると、コネクタの着脱に要する力が大きくなる。コネクタ面に垂直な方向にコネクタを着脱すると、多数の端子を同時に着脱することになるため、コネクタの着脱に要する力が大きくなる。  
これに対し、本実施形態では、回転軸８で可動ケージ６０を回転させながらコネクタの着脱が行われる（図１Ｂ及び図１Ｃ参照）。これにより、多数の端子が徐々に着脱されるので、コネクタの着脱に要する力を減らすことができる。なお、本実施形態では、てこの原理を利用してコネクタの着脱が行われるため、コネクタの着脱に要する力を減らすことができる。
【００３７】
また、本実施形態では、回転軸８で可動ケージ６０を回転させながらコネクタの着脱が行われるため、モジュール側コネクタ３０の板状の接続端子３１の面が、回転軸８の軸方向（左右方向）と垂直になるように配置されている。言い換えると、モジュール側コネクタ３０の板状の接続端子３１の面は、上下方向（モジュール側コネクタ３０のコネクタ面に垂直な方向）及び前後方向（光モジュール１の挿入方向）に平行であり、左右方向に垂直である。板状の接続端子３１の面をこのような向きにすることによって、コネクタの着脱時に互いのコネクタ面が傾いていても、接続端子（接続端子３１、接続端子７１）が損傷しにくくなる。
【００３８】
＜光モジュール１＞
図３Ａ及び図３Ｂは、光モジュール１の斜視図である。図３Ａは、光モジュール１を斜め上から見た図である。図３Ｂは、光モジュール１を斜め下から見た図である。図４は、斜め下から見た光モジュール１の分解図である。なお、図４では、光ファイバと、光ファイバを保護するブーツは省略している。
【００３９】
光モジュール１は、ケージに対して挿抜可能な通信端末であり、光ファイバで送受信される光信号と、電気信号とを相互に変換する。光モジュール１の後側からは光ファイバ（光ファイバコード、光ファイバケーブルを含む）が延び出ている。  
光モジュール１は、基板１０と、ハウジング２０と、モジュール側コネクタ３０と、レバー４０とを有する（図４参照）。
【００４０】
基板１０は、光電変換素子（不図示）や電気回路（不図示）などを実装したプリント基板である。例えば光電変換素子として、発光素子である半導体レーザや、受光素子であるフォトダイオードが基板１０に実装されている。また、電気回路として、半導体レーザを駆動するドライバや、フォトダイオードの出力を増幅するアンプなどが基板１０に実装されている。  
基板１０は、長方形状をしており、その長辺は前後方向に平行である。基板１０の下面には、コネクタ面を下にしてモジュール側コネクタ３０が取り付けられている。基板１０の下面とモジュール側コネクタ３０との間は半田付けされている。
【００４１】
ハウジング２０は、基板１０を収容する部材である。ハウジング２０は、上ハウジング２１及び下ハウジング２２から構成されている。下ハウジング２２には窓２２Ａ（開口）が形成されており（図４参照）、窓２２Ａからモジュール側コネクタ３０が露出する（図３Ｂ参照）。
【００４２】
上ハウジング２１と下ハウジング２２は、基板１０を挟むことによって保持している（基板１０を挟持している）。上ハウジング２１には、内部に突出する突起２１Ａが４箇所に形成されている。基板１０の上面には４箇所に凹部１０Ａ（基板１０の厚みの薄い部位）が形成されており、４つの凹部１０Ａはモジュール側コネクタ３０の４隅の裏面近傍に設けられている。ハウジング２０に基板１０を収容すると、上ハウジング２１の突起２１Ａは、基板１０の凹部１０Ａに位置し、下ハウジング２２との間で基板１０を挟持する。モジュール側コネクタ３０の４隅近傍で基板１０が固定されるため、コネクタの着脱時にモジュール側コネクタ３０が基板１０内で上下方向に動きにくくなる。
【００４３】
上ハウジング２１の突起２１Ａに対して基板１０の凹部１０Ａが大きく形成されており、基板１０の面方向には突起２１Ａと凹部１０Ａとの間に隙間が形成される。この隙間によって、基板１０の面方向（前後方向及び左右方向：上下方向に垂直な方向）にハウジング２０との摩擦力を超える力が加わったときに、基板１０がハウジング２０に対して面方向に移動可能になる。これにより、モジュール側コネクタ３０に面方向に過剰な力（ハウジング２０との摩擦力を超える力）が加わったときに、基板１０がハウジング２０に対して面方向に移動でき、基板１０とモジュール側コネクタ３０との間の半田付け箇所の破損を抑制できる。
【００４４】
ハウジング２０の左右の側面には、上下方向に沿った溝部２３が形成されている（図３Ａ及び図３Ｂ参照）。溝部２３は、可動ケージ６０のスリット６３に対応する位置に設けられている。溝部２３の機能については後述する。
【００４５】
レバー４０は、光モジュール１を挿抜するときに操作者が操作する部品である。光モジュール１を可動ケージ６０に挿入したとき、レバー４０は可動ケージ６０の挿入口６１から後側に突出しており、操作者はレバー４０を指で操作可能である。レバー４０は、ハウジング２０に対して、所定範囲で前後方向に移動可能に取り付けられており、ハウジング２０からバネ（不図示）を介して常に前方向に力を受けている。操作者がレバー４０を後に引っ張るとレバー４０が後に若干移動し、操作者がレバー４０を離すとレバー４０が元の位置に戻ることになる。
【００４６】
レバー４０は、操作部４１と、一対の側面プレート４２と、一対の爪部４３とを有する。  
操作部４１は、レバー４０の後側の部位であり、操作者が指で直接操作する部位である。  
一対の側面プレート４２は、操作部４１の左右の両側面から前方に延びるように形成された板状の部位である。側面プレート４２は、ハウジング２０内のガイド溝２１Ｂに配置され、これによりレバー４０がハウジング２０に対して前後方向に案内される。側面プレート４２には、バネ（不図示）を配置するための凹部４２Ａが形成されている。バネは、圧縮された状態で、後端がハウジング２０と接し、前端が側面プレート４２の凹部４２Ａに接している。これにより、レバー４０は、ハウジング２０から前方向に力を受けることになる。  
一対の爪部４３は、それぞれ側面プレート４２の前側に形成されている。爪部４３は、ハウジング２０の溝部２３から突出して配置される。爪部４３には、斜め下を向いた面（面取り部）が形成されている。爪部４３は、後述するように、光モジュール１を固定するためのラッチ機構（ロック機構）を構成する。
【００４７】
＜ケージ５の構成＞
図５Ａ及び図５Ｂは、可動ケージ６０が第１位置にあるときのケージ５の斜視図である。図６Ａ及び図６Ｂは、可動ケージ６０が第２位置にあるときのケージ５の斜視図である。図７Ａ及び図７Ｂは、フロントパネル４を除去した状態の説明図である。図７Ａは可動ケージ６０が第１位置にあるときの説明図であり、図７Ｂは可動ケージ６０が第２位置にあるときの説明図である。
【００４８】
ケージ５は、メイン基板３上に設置され、光モジュール１を挿抜可能に収容する部品である。メイン基板３は、例えば通信機器側（ホスト側）のマザーボードである。メイン基板３の後側（操作者側）には、フロントパネル４が設けられている。フロントパネル４には開口部４Ａが形成されており、この開口部４Ａに可動ケージ６０の挿入口６１が配置されている。
【００４９】
ケージ５は、固定ケージ５０と、可動ケージ６０と、回転軸８とを有する。  
固定ケージ５０は、メイン基板３に固定され、可動ケージ６０を回転可能に支持する部品である。図７Ａ及び図７Ｂに示すように、固定ケージ５０の内部には、固定側コネクタ７０が配置されている。固定側コネクタ７０は、メイン基板３上で半田付けされている。固定ケージ５０は、回転軸８を支持する支持部材としても機能している。固定ケージ５０は、回転軸８を介して、可動ケージ６０を回転可能に支持している。
【００５０】
固定ケージ５０の後端（フロントパネル４側）には、図７Ａ及び図７Ｂに示すように、一対のストッパ５１が形成されている。ストッパ５１は、板状の部位であり、固定ケージ５０の左右のそれぞれの側面から内側に突出している。ストッパ５１には凹部５１Ａが形成されている。この凹部５１Ａは、後述するように、光モジュール１のレバー４０の爪部４３とともに、ラッチ機構（ロック機構）を構成する。
【００５１】
可動ケージ６０は、光モジュール１を挿抜可能に収容するとともに、回転軸８で回転可能な部品である。可動ケージ６０は、前後方向に長い断面矩形の箱形部材である。金属板を断面矩形状に折り曲げ加工することにより、光モジュール１を収容するための収容部が可動ケージ６０内に形成されている。
【００５２】
可動ケージ６０は、挿入口６１と、窓６２とを有する。挿入口６１は、光モジュール１を挿入するための開口であり、可動ケージ６０の後端に設けられている。窓６２は、可動ケージ６０の下面（メイン基板３側の面）に設けられた開口であり、光モジュール１の挿入時におけるモジュール側コネクタ３０の位置に設けられている。可動ケージ６０が第１位置のとき、窓６２は固定側コネクタ７０と対向しており（図１Ａ参照）、可動ケージ６０が第２位置のとき、窓６２の中に固定側コネクタ７０が入り込む（図１Ｃ、図７Ｂ参照）。
【００５３】
可動ケージ６０は、回転軸８で回転することによって、第１位置（図１Ａ、図１Ｂ、図５Ａ及び図５Ｂ参照）と第２位置（図１Ｃ、図６Ａ及び図６Ｂ参照）とに切り替わる。第１位置では、可動ケージ６０の光モジュール１の挿入方向が、メイン基板３に対して斜めになり、光モジュール１を挿入又は抜去することが可能である。
【００５４】
可動ケージ６０に光モジュール１を挿入するときにモジュール側コネクタ３０と固定側コネクタ７０とが接触しないようにするため、可動ケージ６０が第１位置にあるときには、可動ケージ６０の窓６２は固定側コネクタ７０よりも上側に位置する必要がある。本実施形態では、可動ケージ６０の窓６２が回転軸８よりも挿入口６１の近くに配置されているため、可動ケージ６０とメイン基板３との角度が小さくても、可動ケージ６０の窓６２を固定側コネクタ７０よりも上側に位置させることができる。
【００５５】
可動ケージ６０の両側面と下面には、スリット６３が形成されている。可動ケージ６０が第１位置（図１Ａ及び図１Ｂ参照）から第２位置（図１Ｃ参照）になるとき、可動ケージ６０のスリット６３に固定ケージ５０のストッパ５１が入り込むことになる（図７Ｂ参照）。図７Ｂに示すように、光モジュール１が挿入されていない状態で可動ケージ６０が第２位置にあるとき、スリット６３に入り込んだストッパ５１が、可動ケージ６０の内側に突出し、挿入口６１からの光モジュール１の挿入を阻害する。これにより、光モジュール１のハウジング２０がモジュール側コネクタ３０にぶつかることを防止でき、モジュール側コネクタ３０とメイン基板３との半田付け箇所が損傷することを防止できる。
【００５６】
可動ケージ６０に光モジュール１が正常に挿入されると、スリット６３の内側にハウジング２０の溝部２３が位置する。つまり、可動ケージ６０のスリット６３は、光モジュール１の溝部２３に対応する位置に形成されている。
【００５７】
可動ケージ６０の両側面には、凸部６４が形成されている。この凸部６４は、可動ケージ６０を第１位置又は第２位置に切り替えるのに用いられる。すなわち、可動ケージ６０は、凸部６４が固定ケージ５０の上縁に接触することによって、第１位置で安定する。一方、可動ケージ６０は、凸部６４が固定ケージ５０の側面の穴５２に嵌まり込むことによって、第２位置で安定する。
【００５８】
可動ケージ６０の挿入口６１は、フロントパネル４から後側に突出している。このため、フロントパネル４の開口部４Ａは、挿入口６１が上下に移動できるように、挿入口６１よりも上下方向に広く形成されている。この結果、フロントパネル４の開口部４Ａと可動ケージ６０の挿入口６１との間には、隙間が形成されることになる。
【００５９】
仮に可動ケージ６０の挿入口６１とフロントパネル４の開口部４Ａとの間に隙間があると、信号伝送時に電磁ノイズが外部に漏洩するおそれがある。この対策として、フロントパネル４の裏面近傍の可動ケージ６０の周囲には、電磁ノイズを遮蔽する遮蔽部６５が形成されている（図５Ｂ及び図６Ｂ参照）。  
遮蔽部６５は、遮蔽板６５Ａと、遮蔽シール６５Ｂとから構成されている。遮蔽板６５Ａは、可動ケージ６０の上面に取り付けられており、フロントパネル４の開口部４Ａの上部を塞ぐ金属製の板状の部材である。遮蔽シール６５Ｂは、遮蔽板６５Ａ及び可動ケージ６０と開口部４Ａとの隙間を塞ぐ部材であり、例えば導電性ゴムで構成された部材である。
【００６０】
可動ケージ６０の上面には、バネ部６７が形成されている。バネ部６７は、可動ケージ６０に挿入された光モジュール１を、上面から窓６２に向かって押さえる機能を有する。これにより、モジュール側コネクタ３０が固定側コネクタ７０に接続されるときに、可動ケージ６０の内部で光モジュール１が浮くことを抑制できる。なお、可動ケージ６０のバネ部６７が光モジュール１を押さえつけることにより、光モジュール１のハウジング２０と可動ケージ６０とが接触するようになり、これにより耐ノイズ性が向上する。
【００６１】
回転軸８は、可動ケージ６０を回転可能に支持する軸である。回転軸８は、ここでは固定ケージ５０に支持されている。  
本実施形態では、回転軸８は、可動ケージ６０の挿入口６１とは反対側（可動ケージ６０の前側）に配置されている。これにより、光モジュール１のレバー４０の位置（挿入口６１近傍の位置になる）と回転軸８との距離が離れ、可動ケージ６０の窓６２（コネクタの着脱位置になる）が回転軸８と挿入口６１との間に位置するため、てこの原理を利用して、コネクタの着脱に要する力を減らすことができる。
【００６２】
＜光モジュール１の装着時の動作＞
操作者は、光モジュール１を装着するときには、図１Ａに示すように、予め可動ケージ６０を第１位置にする。なお、仮に可動ケージ６０が第２位置にあると、図６Ａに示すように、スリット６３に入り込んだストッパ５１が可動ケージ６０の内側に突出しているため、操作者は、挿入口６１から光モジュール１を挿入できない。
【００６３】
操作者は、第１位置の可動ケージ６０に光モジュール１を挿入する。可動ケージ６０が第１位置にあるとき、可動ケージ６０の窓６２は固定側コネクタ７０よりも上側に位置しているため、可動ケージ６０に光モジュール１を挿入するときにモジュール側コネクタ３０と固定側コネクタ７０とが接触することはない。
【００６４】
図８Ａは、光モジュール１が十分に挿入されていない状態でのスリット６３近傍の説明図である。この状態では、仮に操作者が光モジュール１のレバー４０を押し下げても、スリット６３の内側の光モジュール１のハウジング２０がストッパ５１に接触するため、可動ケージ６０が第１位置から第２位置に回転することは阻害される。これにより、固定側コネクタ７０の損傷を防止できる。
【００６５】
図８Ｂは、光モジュール１が正常に挿入された状態でのスリット６３近傍の説明図である。この状態では、スリット６３の内側にハウジング２０の溝部２３が位置している。このため、操作者が光モジュール１のレバー４０を押し下げると、スリット６３及び溝部２３にストッパ５１が入り込むことができ、可動ケージ６０が第１位置から第２位置に回転移動することが可能になる。
【００６６】
光モジュール１が可動ケージ６０に正常に挿入された後、操作者は、光モジュール１のレバー４０を押し下げる。これにより、光モジュール１及び可動ケージ６０が、第１位置から第２位置に向かって回転軸８を中心にして回転する。
【００６７】
図８Ｃは、可動ケージ６０が第１位置から第２位置に回転する途中でのスリット６３近傍の説明図である。光モジュール１の爪部４３がハウジング２０の溝部２３から突出しているため、可動ケージ６０が第１位置から第２位置に回転する途中で、爪部４３とストッパ５１とが接触する。爪部４３には、斜め下を向いた面（面取り部）が形成されており、この面がストッパ５１と接触することによって、爪部４３（レバー４０）が後に移動し、更にスリット６３及び溝部２３にストッパ５１が入り込むことができ、可動ケージ６０が第２位置まで回転することが可能になる。
【００６８】
図８Ｄは、可動ケージ６０が第２位置になったときのスリット６３近傍の説明図である。ストッパ５１には凹部５１Ａ（図７Ａ及び図７Ｂ参照）が形成されており、可動ケージ６０が第２位置になると、後に移動していた爪部４３がバネによる力で前に移動し、爪部４３が凹部５１Ａに入り込む。これにより、光モジュール１が固定ケージ５０に固定され、可動ケージ６０は第１位置に戻る方向に回転できなくなり、コネクタが外れることが防止される。このように、光モジュール１の爪部４３と、固定ケージ５０のストッパ５１の凹部５１Ａとによって、光モジュール１を固定するためのラッチ機構（ロック機構）が構成されている。
【００６９】
操作者が、光モジュール１を挿入した状態で可動ケージ６０を第１位置から第２位置にすると、モジュール側コネクタ３０と固定側コネクタ７０が可動ケージ６０の窓６２を介して（窓６２越しに）接続される。このときの可動ケージ６０の動きは、回転軸８を中心とする回転移動なので、モジュール側コネクタ３０のコネクタ面が固定側コネクタ７０のコネクタ面に対して傾いた状態で、コネクタ同士が装着され始める。このため、多数の端子が同時に接続されるのではなく、徐々に接続されていく。これにより、コネクタ面に多数の端子が高密度に配置されていても、コネクタの接続に要する力が小さくて済む。
【００７０】
また、本実施形態では、コネクタ（作用点）の接続がレバー４０（力点）と可動ケージ６０の回転軸８（支点）との間でなされるため、てこの原理により、作業者がレバー４０を押し下げる力は少なくて済む。
【００７１】
可動ケージ６０が第２位置になると、図５Ｂ及び図６Ｂに示すように、可動ケージ６０の遮蔽部６５がフロントパネル４の開口部４Ａを塞ぐ。具体的には、遮蔽板６５Ａがフロントパネル４の開口部４Ａの上部を塞ぎ、遮蔽シール６５Ｂが遮蔽板６５Ａ及び可動ケージ６０と開口部４Ａとの隙間を塞ぐ。遮蔽板６５Ａの塞ぐ開口部４Ａの上部は、可動ケージ６０が第１位置にあるときに挿入口６１があった位置である。これにより、光モジュール１の装着後に通信が開始されても、電磁ノイズがフロントパネル４の開口部４Ａから漏洩しにくい。
【００７２】
＜光モジュール１の抜去時の動作＞
図９Ａ〜図９Ｃは、光モジュール１の抜去時の説明図である。
まず、図９Ａに示すように、操作者は、光モジュール１のレバー４０を後に引っ張る。これにより、レバー４０が後に若干移動し、爪部４３が凹部５１Ａ（図７Ａ及び図７Ｂ参照）から外れる。これにより、ラッチ機構（ロック機構）のラッチ状態が解除され、光モジュール１及び可動ケージ６０が第２位置から第１位置に回転移動することが可能になる。
【００７３】
なお、操作者がレバー４０を操作するときに、レバー４０を介して基板１０やメイン基板３の面方向に過剰な力が加えられることがある。但し、図４に示す基板１０の凹部１０Ａが上ハウジング２１の突起２１Ａに対して大きく形成されており、基板１０がハウジング２０に対して面方向に移動可能な状態でハウジング２０に挟持されているため、基板１０とモジュール側コネクタ３０との間の半田付け箇所の破損を抑制でき、また、メイン基板３と固定側コネクタ７０との間の半田付け箇所の破損を抑制できる。
【００７４】
次に、図９Ｂに示すように、操作者は、光モジュール１のレバー４０を上に引き上げる。これにより、光モジュール１及び可動ケージ６０が回転軸８を中心にして回転し、第２位置から第１位置になる。なお、操作者が、レバー４０を後に引っ張るのをやめると、バネ（不図示：図４の凹部４２Ａに配置され、レバー４０を前に押すバネ）の力によって、レバー４０が元の位置に戻る。
【００７５】
操作者が、可動ケージ６０を第１位置から第２位置にすると、モジュール側コネクタ３０と固定側コネクタ７０が外れる。このときの可動ケージ６０の動きは、回転軸８を中心とする回転移動なので、モジュール側コネクタ３０のコネクタ面が固定側コネクタ７０のコネクタ面に対して傾くように、コネクタ同士が外れていく。このため、多数の端子が同時に外れるのではなく、徐々に外れていく。これにより、コネクタ面に多数の端子が高密度に配置されていても、コネクタを外すのに要する力が小さくて済む。
【００７６】
また、本実施形態では、コネクタ（作用点）がレバー４０（力点）と可動ケージ６０の回転軸８（支点）との間で外れるため、てこの原理により、作業者がレバー４０を引き上げる力は少なくて済む。
【００７７】
なお、図５Ｂ及び図６Ｂに示すように、可動ケージ６０の両側面には凸部６４が形成されているため、可動ケージ６０は、第１位置又は第２位置で安定するが、第１位置及び第２位置以外の位置では安定しない。このため、可動ケージ６０が第２位置にある状態から操作者がレバー４０を引き上げて可動ケージ６０を回転させると、可動ケージ６０は自然に第１位置になるため、第１位置と第２位置との中間位置では収まりにくい。したがって、可動ケージ６０が第１位置になる前に光モジュール１が引き抜かれにくい構造になっている。  
また、可動ケージ６０が第１位置と第２位置との中間位置にあるとき、図８Ｃに示す状態と同様に、固定ケージ５０のストッパ５１が光モジュール１のハウジング２０の溝部２３に入り込んでいる。このため、可動ケージ６０が第１位置になる前に光モジュール１が引き抜かれることは、ストッパ５１によって防止されている。
【００７８】
最後に、図９Ｃに示すように、操作者は、光モジュール１及び可動ケージ６０を第１位置まで引き上げた後、可動ケージ６０から光モジュール１を抜き取る。可動ケージ６０が第１位置にあるときには、可動ケージ６０の窓６２は固定側コネクタ７０よりも上側に位置しているため、可動ケージ６０から光モジュール１を抜き取るときにモジュール側コネクタ３０と固定側コネクタ７０とが接触することはない。
【００７９】
＜第１改良例＞
図１０は、可動ケージ６０の凸部６４の周辺構造の第１改良例の説明図である。第１改良例では、可動ケージ６０の側面に一対の切り込み部６６を形成し、この一対の切り込み部６６に挟まれた領域に凸部６４を形成している。一対の切り込み部６６に挟まれた領域は、板バネのような機能を有し、変形しやすい。これにより、可動ケージ６０の移動が滑らかになる。
【００８０】
＜第２改良例＞
図１１は、第２改良例の説明図である。第２改良例では、可動ケージ６０の回転軸８の近傍にバネを配置し、可動ケージ６０が第２位置から第１位置に向かう方向にバネが可動ケージ６０に力を付与し続けている。これにより、光モジュール１が挿入されていない状態では、可動ケージ６０の上面がフロントパネル４の開口部４Ａの上縁に接触することによって、可動ケージ６０が第１位置で安定する。一方、操作者が可動ケージ６０に光モジュール１を挿入し、バネの力に抗しながら光モジュール１（及び可動ケージ６０）を押し下げて、光モジュール１の爪部４３が固定ケージ５０の凹部５１Ａに入り込めば、可動ケージ６０は第２位置で安定する。  
なお、図１１には、ねじりバネが記載されているが、ねじりバネの代わりに板バネでも良い。若しくは、バネ以外の他の手段によって、可動ケージ６０が第２位置から第１位置に向かう方向に可動ケージ６０に力を付与し続けても良い。  
第２改良例によれば、可動ケージ６０の凸部６４や固定ケージ５０の穴５２が不要になる。
【００８１】
＝＝＝第２実施形態＝＝＝
前述の第１実施形態では、固定ケージ５０が設けられていた。但し、可動ケージ６０を収容するような固定ケージ５０が、無くても良い。
【００８２】
図１２は、第２実施形態の説明図である。第２実施形態では、メイン基板３上の支持部材５４が回転軸８を支持しており、可動ケージ６０が回転可能に支持されている。このため、第２実施形態においても、コネクタの着脱は可能である。
【００８３】
また、第２実施形態においても、メイン基板３には、凹部５１Ａを有するストッパ５１が固定されている。このため、第２実施形態においても、光モジュール１の爪部４３を凹部５１Ａに挿入させて、光モジュール１を固定することが可能である。また、第２実施形態においても、ストッパ５１によって、光モジュール１の異常な挿入を防止できる。
【００８４】
＝＝＝第３実施形態＝＝＝
前述の第１実施形態では、可動ケージ６０の回転軸８は、挿入口６１とは反対側（可動ケージ６０の前側）に配置されていた。但し、回転軸８の位置は、この位置に限られるものではない。
【００８５】
図１３は、第３実施形態の説明図である。第３実施形態では、回転軸８は、可動ケージ６０の後側に配置されている。このように配置しても、コネクタの着脱は可能である。但し、回転軸８（支点）とレバー４０の位置（力点）との距離が近いため、第１実施形態と比べると、コネクタの着脱に力が必要になる。
【００８６】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８７】
＜光モジュール１について＞
前述の実施形態では、ケージに挿抜される通信モジュールは、光ファイバを用いた光通信を行う光モジュール１であった。但し、ケージに挿抜される通信モジュールは、光モジュール１に限られるものではなく、電気通信を行う電気モジュールであっても良い。ケージに挿抜される通信モジュールが電気モジュールの場合、例えば、内部の基板にアクティブ回路（イコライザー、波形整形・補償回路、プリエンファシスなど）を組み込み、メタルケーブルの特性に最適に調節した信号を通信することが可能である。
【００８８】
＜接続端子３１、７１について＞
前述の実施形態では、モジュール側コネクタ３０の接続端子３１は板状のピンであり、固定側コネクタ７０の接続端子７１は、一対のバネ状のピンであった。但し、ピンの構成を逆にして、接続端子３１を一対のバネ状のピンにして、接続端子７１を板状のピンにしても良い。この場合、固定側コネクタ７０の板状のピンの面は、回転軸８に垂直な方向であることが望ましい。これにより、コネクタの着脱時に互いのコネクタ面が傾いていても、接続端子が損傷しにくくなる。  
なお、モジュール側コネクタ３０の接続端子３１は、外部に露出して作業者の手に触れる可能性が高いため、バネ状のピンよりも強度の高い板状のピンにする方が望ましい。
【００８９】
また、前述の実施形態では、一対のバネ状の接続端子７１が、モジュール側コネクタ３０の板状の接続端子３１の両面を挟むことによって、両端子が電気的に接続していた。但し、両端子の形状は、これに限られるものではない。例えば、一方の接続端子を棒状の接続ピンで構成し、他方の接続端子を接続穴で構成し、接続ピンを接続穴に挿入することによって両端子を電気的に接続しても良い。
【００９０】
＜ラッチ機構について＞
前述の実施形態では、ラッチ機構（光モジュール１のレバー４０の爪部４３、固定ケージ５０のストッパ５１の凹部５１Ａ）によって、第２位置で光モジュール１及び可動ケージ６０を固定していた。但し、第２位置で光モジュール１及び可動ケージ６０を固定する方法・機構は、別のものでも良い。例えば、固定ケージ５０の穴５２に可動ケージ６０の凸部６４を嵌めることによって、第２位置で光モジュール１及び可動ケージ６０を固定しても良い。但し、この場合、可動ケージ６０を第１位置と第２位置との間で移動させるときに力が必要になる。
【００９１】
＜溝部２３、ストッパ５１、スリット６３について＞
前述の実施形態では、光モジュール１の溝部２３、固定ケージ５０のストッパ５１及び可動ケージ６０のスリット６３によって、光モジュール１の異常な挿入を防止していた。但し、溝部２３、ストッパ５１、スリット６３を省略しても良い。この場合、光モジュール１の異常な挿入を防止できなくなるが、光モジュール１やケージ５の形状を簡素化できる。
【００９２】
＜遮蔽部６５について＞
前述の実施形態では、可動ケージ６０に遮蔽板６５Ａ及び遮蔽シール６５Ｂから構成された遮蔽部６５が設けられていた。但し、遮蔽板６５Ａだけで遮蔽部６５を構成しても良い。また、可動ケージ６０に遮蔽部６５を設ける代わりに、フロントパネル４の側にシャッターのような遮蔽部を設けて、開口部４Ａの隙間を塞いでも良い。また、電磁ノイズが許容範囲内であれば、遮蔽部６５を省略しても良い。
【符号の説明】
【００９３】
１  光モジュール、３  メイン基板、
４  フロントパネル、４Ａ  開口部、
５  ケージ、８  回転軸、
１０  基板、１０Ａ  凹部、
２０  ハウジング、２１  上ハウジング、
２１Ａ  突起、２１Ｂ  ガイド溝、
２２  下ハウジング、２２Ａ  窓、２３  溝部、
３０  モジュール側コネクタ、３１  接続端子、
４０  レバー、４１  操作部、
４２  側面プレート、４３  爪部、
５０  固定ケージ、５１  ストッパ、５１Ａ  凹部、５２  穴、
６０  可動ケージ、６１  挿入口、
６２  窓、６３  スリット、６４  凸部、
６５  遮蔽部、６５Ａ  遮蔽板、６５Ｂ  遮蔽シール、
６６  切り込み部、６７  バネ部、
７０  固定側コネクタ、７１  接続端子
【図１】
0005948312.tif 000002
【図２】
0005948312.tif 000003
【図３】
0005948312.tif 000004
【図４】
0005948312.tif 000005
【図５】
0005948312.tif 000006
【図６】
0005948312.tif 000007
【図７】
0005948312.tif 000008
【図８】
0005948312.tif 000009
【図９】
0005948312.tif 000010
【図１０】
0005948312.tif 000011
【図１１】
0005948312.tif 000012
【図１２】
0005948312.tif 000013
【図１３】
0005948312.tif 000014
【図１４】
0005948312.tif 000015